(57)【特許請求の範囲】
【請求項１】
本体ハウジング内に設けられ、充電電力及び直流電力を制御生成する回路部品を搭載した基板と、基板から蓄電池挿入口下端部に設けられた端子穴を貫通して蓄電池挿入口に延び、蓄電池挿入口内に露出した充電端子と、本体ハウジング内に設けられた冷却ファンと、本体ハウジングに設けられた吸入用風穴及び排出用風穴とを備え、吸入用風穴から取り入れ前記回路部品を冷却した後の冷却風を排出用風穴から排出するようにし、コードレスツールに着脱可能に装着されてコードレスツールの電源となる蓄電池を充電する充電機能を有すると共にアダプタを介してコードレスツールに直流電力を供給する充電機能付き電源装置であって、
前記端子穴近傍を遮蔽する遮蔽体を設け、前記吸入用風穴から排出用風穴に流れる冷却風の流速を、蓄電池挿入口内の蓄電池の有無に関係なくほぼ同じとなるようにしたことを特徴とする充電機能付き電源装置。
【請求項２】
前記遮蔽体を、蓄電池挿入口を形成し、下端が基板上面近傍まで延びた本体ハウジングにより構成したことを特徴とする請求項１記載の充電機能付き電源装置。
【請求項３】
前記遮蔽体を、前記端子穴近傍と基板上面近傍間に設けられ、端子穴と基板上面間の空間を覆う円筒状としたことを特徴とする請求項１記載の充電機能付き電源装置。
【発明の詳細な説明】
【０００１】
【発明の属する技術分野】
本発明はコードレスツールに着脱可能に装着されてコードレスツールの電源となる蓄電池を充電する充電機能を有すると共にアダプタを介してコードレスツールに直流電力を供給する充電機能付き電源装置に関するものである。以下コードレスツールをコードレス電動工具(以下単に電動工具という)に特定して説明する。
【０００２】
【従来の技術】
蓄電池を電源とする電動工具は公知であり、蓄電池の容量は有限であるため電動工具の使用時間も限られている。電動工具を連続して使用できるように、蓄電池の代りにアダプタを介して電動工具に直流電力を供給する電源装置を例えば特開平１１−６９６１７号、同１１―１０１８３６号により提案した。またかかる電源装置に充電機能を持たせたものを特開２０００―１８４６１４号により提案した。
【０００３】
かかる電源装置の概念を図４を参照して説明する。電動工具２０は下端挿入口に挿入される蓄電池１９を電源として使用される。蓄電池１９の挿入端部と同じ形状の挿入端部を有し電動工具２０に挿入されるアダプタ１８には、ケーブル２２を介して電源装置本体１７から直流電力が供給される。電源装置本体１７の上面には蓄電池挿入口８が設けられ、また両側面には冷却風を吸入する風穴３及び冷却風を排出する図示しない風穴が設けられている。電源装置本体１７はコード１５及びプラグ１４を介して商用電源に接続される。電源装置本体１７はアダプタ１８を介して直流電力を供給し電動工具２０を連続して使用できるようにすると共に蓄電池１９を充電できるようにするものである。
【０００４】
電源本体１７内には、図示を省略したが、充電電力及び直流電力を制御生成するＦＥＴ、トランジスタ等の回路部品を搭載した基板が収納され、回路部品は通常の充電器と同様に前記冷却風により冷却される。
【０００５】
充電器は、常に蓄電池が挿入された状態で充電するため、前記冷却風の流路が変化することはなく、冷却効果は常に同じである。
【０００６】
【発明が解決しようとする課題】
しかし充電機能付き電源装置においては、蓄電池１９が挿入された状態または蓄電池１９が挿入されていない状態で直流電力を供給したり、蓄電池１９を充電する状態では前記流路が変化し、冷却効果が低下する恐れがある。これを図３を参照して説明する。
【０００７】
図３において、１は冷却ファン、２はフィン、４は前記蓄電池挿入口８の下方に設けられた端子穴、２５は前記回路部品、２１は排出用風穴、５は吸入用風穴３から取り入れられフィン２を介して回路部品２５を冷却する冷却風の流れ、６は端子穴４から取り入れられ冷却ファン１に向かう冷却風の流れである。
【０００８】
蓄電池１９が蓄電池挿入口８に挿入され端子穴４が蓄電池により閉鎖されると、流れ６はほとんどなくなり問題が生じることはないが、反対に蓄電池１９が挿入されないと流れ６が生じて流れ５の流速が低下し回路部品２５を冷却する効果が低下してしまう。
【０００９】
本発明の目的は、上記した従来技術の欠点をなくし、蓄電池挿入口内の蓄電池の有無に関係なく回路部品を確実に冷却できるようにすることである。
【００１０】
【課題を解決するための手段】
上記目的は、端子穴近傍を遮蔽する遮蔽体を設けることにより達成される。
【００１１】
【発明の実施の形態】
以下本発明を一実施形態を示す図１を参照して説明する。
【００１２】
上部ハウジング７には蓄電池挿入口８が設けられ、蓄電池挿入口８に連なるように蓄電池ガイド９がハウジング７と一体となって下方に伸びている。蓄電池ガイド９の下方には本発明遮蔽体を構成する遮蔽リング部１２が蓄電池ガイド９に延長して設けられ、その下端が基板１０の上面近傍まで延びている。冷却ファン１はハウジング７内に設置されており、ハウジング７内に冷却風の流路を作り、回路部品２５及びフィン２を冷却するものである。基板１０には充電端子１１が設置され、充電端子１１は蓄電池ガイド９下面の端子穴４を貫通して、蓄電池ガイド９内に導かれている。本構造によれば、端子穴４と冷却ファン１の間は遮蔽リング部１２と基板１０で冷却風の流路を閉鎖しており、蓄電池１９の非挿入時にも蓄電池挿入時と同等の流路構造とすることができる。従って、吸入口３から取り入れられ回路部品２５を冷却する冷却風の流れ５の流速が低下することはなく、回路部品２５は確実に冷却されるようになる。
【００１３】
上記実施形態によれば、蓄電池１９が挿入されていない状態でも端子穴４を通る冷却風がほぼなくなるので、冷却ファン1の小型化が図れ、結果として電源装置本体１７の小型化、低価格化が可能となる等の作用効果が得られる。
【００１４】
図２は本発明の他の実施形態を示し、蓄電池ガイド９の外周に円筒状のフローシールド１３を設置し、フローシールド１３は基板１０と蓄電池ガイド９の下端の距離より長く、上端を蓄電池ガイド９の外周に軽く圧入されている。基板１０の表面には耐湿性を向上するため防湿剤が盛られており、防湿剤を含めた基板１０全体の厚さが生産時に変動する。しかし、図２の実施形態では基板１０の厚さに応じて、フローシールド１３の位置を自動的に変動して固定できるので、フローシールド１３下部の流路を小さくできる効果がある。
【００１５】
更に本発明の他の実施形態として、フローシールド１３をジャバラ構造にして軟らかいばね性をもたせ、基板１０に押し付けることによっても、端子穴４による流路を完全に閉鎖するようにすることも可能である。
【００１６】
【発明の効果】
以上のように本発明によれば、蓄電池挿入口の下方にある端子穴を遮蔽し、吸入口から回路部品を冷却して排出口から排出される冷却風の風速を、蓄電池挿入口内の蓄電池の有無に関係なくほぼ一定となるようにしたので、回路部品を確実に冷却できるようになる。このため冷却ファンの小型化が図れ結果として電源装置本体の小型化・低価格化が可能になるという作用効果が得られる。
【図面の簡単な説明】
【図１】本発明電源装置の一実施形態を示す縦断面図。
【図２】本発明電源装置の他の実施形態を示す縦断面図。
【図３】本発明の原理を説明する冷却風の流路を表すモデル図。
【図４】本発明電源装置の概念を説明するための斜視図。
【符号の説明】
１は冷却ファン、２はフィン、３は吸入用風穴、４は端子穴、５、６は冷却風の流れ、７はハウジング、８は蓄電池挿入口、９は蓄電池ガイド、１０は基板、１１は充電端子、１２は遮蔽リング部、１３はフローシールド、１７は電源装置本体、１８はアダプタ、１９は蓄電池、２０は電動工具、２１は排出用風穴、２５は回路部品である
【図１】
0003826724.tif 000002
【図２】
0003826724.tif 000003
【図３】
0003826724.tif 000004
【図４】
0003826724.tif 000005